【手続補正書】
【提出日】令和3年4月6日(2021.4.6)
【手続補正１】
【補正対象書類名】特許請求の範囲
【補正対象項目名】全文
【補正方法】変更
【補正の内容】
【特許請求の範囲】
【請求項１】
第１の面から入射した光線を拡散光に変えて前記第１の面と反対側の第２の面から放出する導光部材と、
この導光部材の前記第１の面側に間隔を空けて配置される複数の点光源と
を備え、
前記導光部材が、前記第２の面を直下の１又は複数の前記点光源に対応する複数の発光領域に区画し、隣接する発光領域への光線の透過を低減する遮光構造を有する発光表示装置。
【請求項２】
前記遮光構造が前記第１の面から前記第２の面側に延びるよう形成されるスリットを有する請求項１に記載の発光表示装置。
【請求項３】
前記スリットが前記第２の面に開口しない請求項２に記載の発光表示装置。
【請求項４】
前記スリットが内側に光を透過しない層を有する請求項２又は請求項３に記載の発光表示装置。
【請求項５】
前記導光部材の前記スリットの前記第２の面側に残される部分の最小厚さが０．５ｍｍ以上３．０ｍｍ以下である請求項３に記載の発光表示装置。
【請求項６】
前記スリットに挿入される遮光板をさらに備える請求項２、請求項３又は請求項４に記載の発光表示装置。
【請求項７】
前記遮光板の平均厚さが０．５ｍｍ以上３．０ｍｍ以下である請求項６に記載の発光表示装置。
【請求項８】
請求項６又は請求項７に記載の発光表示装置と、
ユーザーが操作可能な操作部材と、
前記操作部材の操作を検知する検出機構と
を備え、
前記導光部材が両端面を前記第１の面及び前記第２の面とする筒状であり、
前記操作部材が前記導光部材の内側に配置され、
前記遮光板が前記操作部材の外周に設けられる発光表示スイッチ。
【請求項９】
前記導光部材及び前記操作部材が前記第２の面側に向かって縮径するテーパー状である請求項８に記載の発光表示スイッチ。
【請求項１０】
請求項８又は請求項９に記載の発光表示スイッチと、
前記発光表示スイッチの操作部材の操作に応じて動作状態が定められるマイクロフォンと
を備え、
前記マイクロフォンの動作状態に応じて、前記点光源を点灯する発光領域が切り換えられる収音装置。
【請求項１１】
マイクロフォンと、
単一の発光面の全面から光を放出する第１の表示状態と前記発光面の一部から光を放出する第２の表示状態とを前記マイクロフォンの動作状態に応じて切り換える発光表示部と
を備える収音装置。
【請求項１２】
前記発光表示部が、前記マイクロフォンが収音している側の部分から光を放出する請求項１１に記載の収音装置。
【請求項１３】
複数の前記マイクロフォンを備え、
前記収音の方向が、前記複数のマイクロフォンが出力する音声信号を処理することにより収音の指向角が異なる音声信号を得ることで定められる請求項１２に記載の収音装置。
【請求項１４】
スピーカーをさらに備える請求項１１、請求項１２又は請求項１３に記載の収音装置。
【請求項１５】
前記発光表示部が、前記スピーカーが放音している側の部分から光を放出する請求項１４に記載の収音装置。
【請求項１６】
複数の前記スピーカーを備え、
前記放音の方向が、前記複数のスピーカー間の干渉により指向角を異ならせることで定められる請求項１５に記載の収音装置。
【請求項１７】
遠隔会議端末として機能する請求項１４、請求項１５又は請求項１６に記載の収音装置。
【請求項１８】
スマートスピーカーとして機能する請求項１４、請求項１５又は請求項１６に記載の収音装置。
【手続補正２】
【補正対象書類名】明細書
【補正対象項目名】０００３
【補正方法】変更
【補正の内容】
【０００３】
このように発光面の一部の領域だけを発光させる際に、この発光領域と隣接する消灯領域との境界が明確であること、つまり発光領域と消灯領域との境界で輝度が階段状に変化することが理想的であることが多い。
【手続補正３】
【補正対象書類名】明細書
【補正対象項目名】００２４
【補正方法】変更
【補正の内容】
【００２４】
導光部材１のスリット３の前記表面側（第２の面側）に残される部分の最小厚さ、つまり、スリット３が形成される部分での導光部材１の表裏方向の最小厚さの下限としては、０．５ｍｍが好ましく、０．８ｍｍがより好ましい。一方、導光部材１のスリット３の前記第２の面側に残される部分の最小厚さの上限としては、３．０ｍｍが好ましく、２．０ｍｍがより好ましい。導光部材１のスリット３の前記第２の面側に残される部分の最小厚さが前記下限に満たない場合、両側の発光領域Ａを点灯したときにその境界近傍の輝度が不十分となるおそれや、導光部材１が破断しやすくなるおそれがある。逆に、導光部材１のスリット３の前記第２の面側に残される部分の最小厚さが前記上限を超える場合、隣接する発光領域Ａに透過する光量を十分に抑制することができず、両側の発光領域Ａの一方のみを点灯した場合に発光領域Ａの境界が不明確となるおそれがある。
【手続補正４】
【補正対象書類名】明細書
【補正対象項目名】００４０
【補正方法】変更
【補正の内容】
【００４０】
当該発光表示装置１１において、導光部材１は、表裏方向の軸を有する筒状であり、表面側に向かって縮径するテーパー状に形成されている。さらに、導光部材１は裏面の径方向の幅が、表面（発光面Ｓ）の径方向の幅より大きくなっている。また、導光部材１は、裏面にそれぞれ点光源２を受け入れる複数の凹部５を有する。このような導光部材１に合わせて、複数の点光源２は、基板６上に、導光部材１の裏面に沿って環状に並んで配置されている。
【手続補正５】
【補正対象書類名】明細書
【補正対象項目名】００４１
【補正方法】変更
【補正の内容】
【００４１】
導光部材１のテーパー角度は、表面側から見て、各点光源２の中心が発光面Ｓの外側に位置するようにできる角度にすることが好ましい。このように、点光源２を発光面Ｓの直下に配置しないようにすることで、点光源２から導光部材１内を直進して透過して発光面Ｓから出射される光量を低減することができる。これによって、ユーザーに点光源２の存在を感じさせにくくすることができ、発光面Ｓが面で発光しているように見せる効果が大きくなる。
【手続補正６】
【補正対象書類名】明細書
【補正対象項目名】００４３
【補正方法】変更
【補正の内容】
【００４３】
本実施形態の導光部材１は、２つのスリット３を有し、環状の発光面Ｓを２つの発光領域Ａ１，Ａ２に区画している。より詳しくは、環状の発光面Ｓは、直下に１つの点光源２が配置される第１の発光領域Ａ１と、直下に４つの点光源２が配置される第２の発光領域Ａ２とを有する。当該発光表示スイッチ１０は、発光面Ｓの全体が発光する状態と、第１の発光領域Ａ１だけが発光する状態とにより、当該発光表示スイッチ１０によって選択される機器の動作状態を表示することが企図される。
【手続補正７】
【補正対象書類名】明細書
【補正対象項目名】００５０
【補正方法】変更
【補正の内容】
【００５０】
＜利点＞
当該発光表示スイッチ１０は、操作部材１２の操作に応じて、発光面Ｓの全体が均等に発光する状態と、その一部の発光領域Ａ１だけが発光する状態とを切り換えることができる。さらに、当該発光表示スイッチ１０は、発光領域Ａ１だけが発光する場合に、その境界が明確であるため、ユーザーが動作状態を容易に把握することができる。
【手続補正８】
【補正対象書類名】明細書
【補正対象項目名】００５１
【補正方法】変更
【補正の内容】
【００５１】
［収音装置］
図５及び図６に、本発明の一実施形態に係る収音装置を示す。当該収音装置は、図２の発光表示スイッチ１０と、発光表示スイッチ１０の操作に応じて動作状態が切り換えられるマイクロフォン２０とを備える。また、本実施形態の収音装置は、スピーカー３０をさらに備えており、遠隔会議端末、つまり遠隔会議システムの音声入出力装置として機能するよう構成されている。
【手続補正９】
【補正対象書類名】明細書
【補正対象項目名】００５５
【補正方法】変更
【補正の内容】
【００５５】
＜マイクロフォン＞
マイクロフォン２０は、外部の音を電気信号に変換する。このマイクロフォン２０は、電気信号を出力するミュートオフ状態と、電気信号を出力しないミュートオン状態との２つの動作状態が発光表示スイッチ１０の操作によって、より詳しくは発光表示スイッチ１０の検出機構１３が操作部材１２の操作を検出したときに切り換えられる。
【手続補正１０】
【補正対象書類名】明細書
【補正対象項目名】００６２
【補正方法】変更
【補正の内容】
【００６２】
また、当該収音装置は、複数のマイクロフォン２０によりビームフォーミングするものであってもよい。より詳しく説明すると、当該収音装置は、複数のマイクロフォン２０が出力する音声信号を演算処理することによって、特定の方向からの音だけを抽出して最終的に得られる音声信号の指向角を小さくすることができ、このように指向角が小さい音声信号を得る場合には発光表示装置１１がその小さい指向角に対応する小さい角度範囲の発光領域を発光するよう構成されてもよい。